(57)【要約】  【解決手段】  ヘッド本体および少なくとも一個の複合板により構成される。ヘッド本体は金属材質により製成され、ヘッド本体にはフェース板と少なくとも一個のキャビティが設けられる。キャビティは例えばヘッド本体のクラウン板、ソール板またはサイド板に形成される。少なくとも一個の金属基材と少なくとも一個の非金属基材から共同で前プレスにより複合板が製成される。複合板をヘッド本体のキャビティに対応するように結合することにより、ヘッドの完成品の外殻を形成することができるため、ヘッドの完成品の重心を調整し、打球音の調整の自由度を調整することができるように構成されている。  【効果】  複合板により軽質金属の共振能力と非金属の低密度の特性を兼ねることができ、さらに各種の金属糸と非金属繊維を混合して編まれた多様な色彩と模様により、ヘッドの完成品を美化して装飾することができるため、付加価値を高めることができる。【選択図】    図１
2005137819.tif 000002
【特許請求の範囲】
【請求項１】
ヘッド本体（１０）、少なくとも一個のキャビティ（１２）および少なくとも一個の複合板（２０）により構成されるゴルフクラブヘッドとその複合板の構造であって、ヘッド本体（１０）は金属材質により製成され、ヘッド本体（１０）にはフェース板（１１）が設けられ、少なくとも一個のキャビティ（１２）はヘッド本体（１０）の適当な位置に形成され、少なくとも一個の金属基材（２１）と少なくとも一個の非金属基材（２２、２３、２４）から共同で前プレスにより少なくとも一個の複合板（２０）が製成され、複合板（２０）をヘッド本体（１０）のキャビティ（１２）に対応するように結合することにより、ヘッドの完成品の外殻を形成することができることを特徴とするゴルフクラブヘッドとその複合板の構造。
【請求項２】
複合板（２０）の最外表面は第一非金属基材（２２）を被覆するように形成されることを特徴とする請求項１記載のゴルフクラブヘッドとその複合板の構造。
【請求項３】
複合板（２０）の最外表面は金属基材（２１）を被覆するように形成されることを特徴とする請求項１記載のゴルフクラブヘッドとその複合板の構造。
【請求項４】
金属基材（２１）は密度が４．８ｇ／cm3より小さい軽質金属、合金で、例えばマグネシウム、アルミ、チタンおよびその合金から選ぶことができることを特徴とする請求項１記載のゴルフクラブヘッドとその複合板の構造。
【請求項５】
複合板（２０）には順序よく第一非金属基材（２２）、金属基材（２１）、第二非金属基材（２３）と第三非金属基材（２４）が含まれることを特徴とする請求項１記載のゴルフクラブヘッドとその複合板の構造。
【請求項６】
第一非金属基材（２２）は炭素繊維材質のＵＤ単一方向布、平織り布、斜紋布からなり、第二非金属基材（２３）はエポキシ樹脂ビスコース、蒸発型ビスコース、感圧型ビスコース、感熱型ビスコース、反応型ビスコースからなり、第三非金属基材（２４）は単層の炭素繊維含浸織物からなることを特徴とする請求項５記載のゴルフクラブヘッドとその複合板の構造。
【請求項７】
複合板（２０）には順序よく金属基材（２１）、第二非金属基材（２３）と第三非金属基材（２４）が含まれることを特徴とする請求項１記載のゴルフクラブヘッドとその複合板の構造。
【請求項８】
第二非金属基材（２３）はエポキシ樹脂ビスコース、蒸発型ビスコース、感圧型ビスコース、感熱型ビスコース、反応型ビスコースからなり、第三非金属基材（２４）は単層の炭素繊維含浸織物からなることを特徴とする請求項７記載のゴルフクラブヘッドとその複合板の構造。
【請求項９】
複合板（２０）には順序よく複合基材、金属基材（２１）、第二非金属基材（２３）と第三非金属基材（２４）が含まれることを特徴とする請求項１記載のゴルフクラブヘッドとその複合板の構造。
【請求項１０】
上記複合基材は金属糸と非金属繊維が混合して編まれた網状材で、上記金属糸と非金属繊維は炭素繊維、ケブラー繊維、チタン金属糸から選ぶことができ、第二非金属基材（２３）はエポキシ樹脂ビスコース、蒸発型ビスコース、感圧型ビスコース、感熱型ビスコース、反応型ビスコースからなり、第三非金属基材（２４）は単層の炭素繊維含浸織物からなることを特徴とする請求項９記載のゴルフクラブヘッドとその複合板の構造。
【請求項１１】
キャビティ（１２）はヘッド本体（１０）のクラウン板、ソール板、サイド板の適当な位置に形成されることを特徴とする請求項１記載のゴルフクラブヘッドとその複合板の構造。
【請求項１２】
ヘッド本体（１０）のキャビティ（１２）の内周縁と複合板（２０）の外周縁と対応した間には緩衝空間が形成され、上記緩衝空間に充填材（５０）を充填することができることを特徴とする請求項１記載のゴルフクラブヘッドとその複合板の構造。
【請求項１３】
少なくとも一個の金属基材（２１）および少なくとも一個の非金属基材（２２、２３、２４）により構成されるゴルフクラブヘッドの複合板であって、金属基材（２１）と非金属基材（２２、２３、２４）から共同で前プレスにより複合板（２０）が形成され、複合板（２０）をヘッド本体（１０）に結合することにより、ヘッド本体（１０）の外殻を形成することができることを特徴とするゴルフクラブヘッドの複合板。
【請求項１４】
複合板（２０）の最外表面は第一非金属基材（２２）を被覆するように形成されることを特徴とする請求項１３記載のゴルフクラブヘッドの複合板。
【請求項１５】
複合板（２０）の最外表面は金属基材（２１）を被覆するように形成されることを特徴とする請求項１３記載のゴルフクラブヘッドの複合板。
【請求項１６】
金属基材（２１）は密度が４．８ｇ／cm3より小さい軽質金属、合金で、例えばマグネシウム、アルミ、チタンおよびその合金から選ぶことができることを特徴とする請求項１３記載のゴルフクラブヘッドの複合板。
【請求項１７】
複合板（２０）には順序よく第一非金属基材（２２）、金属基材（２１）、第二非金属基材（２３）と第三非金属基材（２４）が含まれることを特徴とする請求項１３記載のゴルフクラブヘッドの複合板。
【請求項１８】
第一非金属基材（２２）は炭素繊維材質のＵＤ単一方向布、平織り布、斜紋布からなり、第二非金属基材（２３）はエポキシ樹脂ビスコース、蒸発型ビスコース、感圧型ビスコース、感熱型ビスコース、反応型ビスコースからなり、第三非金属基材（２４）は単層の炭素繊維含浸織物からなることを特徴とする請求項１７記載のゴルフクラブヘッドの複合板。
【請求項１９】
複合板（２０）には順序よく金属基材（２１）、第二非金属基材（２３）と第三非金属基材（２４）が含まれることを特徴とする請求項１３記載のゴルフクラブヘッドの複合板。
【請求項２０】
第二非金属基材（２３）はエポキシ樹脂ビスコース、蒸発型ビスコース、感圧型ビスコース、感熱型ビスコース、反応型ビスコースからなり、第三非金属基材（２４）は単層の炭素繊維含浸織物からなることを特徴とする請求項１９記載のゴルフクラブヘッドの複合板。
【請求項２１】
複合板（２０）には順序よく複合基材、金属基材（２１）、第二非金属基材（２３）と第三非金属基材（２４）が含まれることを特徴とする請求項１３記載のゴルフクラブヘッドの複合板。
【請求項２２】
上記複合基材は金属糸と非金属繊維が混合して編まれた網状材で、上記金属糸と非金属繊維は炭素繊維、ケブラー繊維、チタン金属糸から選ぶことができ、第二非金属基材（２３）はエポキシ樹脂ビスコース、蒸発型ビスコース、感圧型ビスコース、感熱型ビスコース、反応型ビスコースからなり、第三非金属基材（２４）は単層の炭素繊維含浸織物からなることを特徴とする請求項２１記載のゴルフクラブヘッドの複合板。
【発明の詳細な説明】
【技術分野】
【０００１】
本発明はゴルフクラブヘッドとその複合板の構造に関するもので、特に金属基材と非金属基材を利用して前プレスにより複合板を製成することにより、重心と打球音の調整の自由度を調整することができるゴルフクラブヘッドとその複合板の構造に係るものである。
【背景技術】
【０００２】
従来のゴルフクラブヘッドとその複合板の構造としては、図１３に示すように、ウッド型ヘッドにはヘッド本体１０と少なくとも一個の蓋板２０’が設けられる。ヘッド本体１０は金属材質により製成され、ヘッド本体１０にはフェース板１１と少なくとも一個のキャビティ１２が設けられる。キャビティ１２は製品の需要性に応じて例えばクラウン板、ソール板またはサイド板の適当な位置に設けることができ、そしてキャビティ１２には開口部１２１と階段部１２２が形成される。蓋板２０’は前プレス成形の炭素繊維または軽質金属板から選ぶことができ、そしてキャビティ１２に緊密に結合される。これにより、ヘッド本体１０は比較的低い重心と比較的低い重量を有するように形成されると共に、開口部１２１と蓋板２０’の設置位置、サイズと重量を調整することにより、ヘッド全体の重心、重量を迅速に変換することができると共に、設計の自由度を増やすことができるようにとしたものがある。
【０００３】
また、従来のゴルフクラブヘッド及びその製造方法としては、フェースと、フェースの下端縁から後側へ延伸したソールと、フェース及びソールと接続した中空筒状のネック部とからなる金属製分割枠部材を形成する工程と、プリプレグシート材を用いて成型可能な密閉中空体を形成し、且つこの密閉中空体を分割枠部材内にセットする工程と、エアバッグを密閉中空体内にセットする工程と、分割枠部材と密閉中空体とエアバッグとを合わせて金型内にセットする工程と、プリプレグシート材部分が硬化されるまで、金型を加熱しながら、エアバッグ内に空気を導入することにより、密閉中空体を分割枠部材及び金型の内壁に圧着して加圧する工程とを有するようにとしたものがある（例えば、特許文献１を参照）。
【特許文献１】日本国特開２００２−３３６３８９号
【発明の開示】
【発明が解決しようとする課題】
【０００４】
上記のような従来のゴルフクラブヘッドとその複合板の構造においては、上述した利点を有しているが、実際に使用すると、ヘッドにはやはり下記の問題点を有しており、例えばプリプレグを蓋板２０’とした時、上記プリプレグの炭素繊維の材質は吸音の効果を有しているため、打球時においてヘッド本体１０の金属材質による共振から生じた軽快な打球音を抑えてしまい易いため、ゴルフクラブヘッドの完成品は打球時においては沈んだ聞き難い音しか発することができないという問題点があった。また、プリプレグの炭素繊維材質の構造の強度は比較的低いため、蓋板２０’の設置数が多過ぎると、または総面積が大き過ぎると、ゴルフクラブヘッドの完成品の全体構造の信頼性に影響を及ぼしてしまうという問題点があった。また、軽質金属板を蓋板２０’として使用した時、蓋板２０’には比較的強い強度の構造を有すると共に、軽快な打球音を発することができるが、ヘッドの重心の降下と調整の自由度に制限を与えてしまうという問題点があった。さらに、単独に炭素繊維または軽質金属材料を使用して蓋板２０’を製成した時、蓋板２０’の外観には比較的単調な色彩と模様を有するように形成されるため、ゴルフクラブヘッドの完成品の付加価値を高めることができないという問題点があった。
【０００５】
さらに、上記のような従来のゴルフクラブヘッド及びその製造方法においては、炭素繊維の材質により製成されたプリプレグシート材は吸音の効果を有していることにより、打球時においてヘッド本体の金属材質による共振から生じた軽快な打球音を抑えてしまうため、ゴルフクラブヘッドの完成品は打球時においては沈んだ聞き難い音しか発することができないという問題点があった。このように、上記のような従来のゴルフクラブヘッドの構造をさらに改良しなければならない。
【０００６】
本発明はこのような問題点に鑑みて発明したものであって、その目的とするところは、少なくとも一個の金属基材と少なくとも一個の非金属基材を利用して共同で前プレスにより複合板を製成し、複合板はヘッド本体のキャビティに結合されることにより、ヘッドの一部分の外殻を形成することができる。これにより、複合板により軽質金属の共振能力と非金属の低密度の特性を兼ねることができ、さらに各種の金属糸と非金属繊維を混合して編まれた多様な色彩と模様により、ヘッドの完成品を美化して装飾することができるため、付加価値を高めることができるゴルフクラブヘッドとその複合板の構造を提供しようとするものである。
【０００７】
本発明の第一の目的は、少なくとも一個の金属基材と少なくとも一個の非金属基材を利用して共同で前プレスにより複合板を製成することにより、ヘッドの一部分の外殻を形成することができるため、重心と打球音の調整の自由度を調整することができるゴルフクラブヘッドとその複合板の構造を提供しようとするものである。
【０００８】
本発明の第二の目的は、少なくとも一個の金属基材と少なくとも一個の非金属基材を利用して共同で前プレスにより複合板を製成し、複合板の表面において各種の金属糸と非金属繊維を混合して編むことにより、多様な色彩と模様を形成することができるため、付加価値を高めることができるゴルフクラブヘッドとその複合板の構造を提供しようとするものである。
【０００９】
本発明の第三の目的は、少なくとも一個の金属基材と少なくとも一個の非金属基材を利用して共同で前プレスにより複合板を製成し、複合板によりヘッドの一部分の外殻を形成することができ、さらに比較的よい変形の能力を有することにより、ヘッドのフェース板の弾性変形能力を増やすことができるため、打球の性能を高めることができるゴルフクラブヘッドとその複合板の構造を提供しようとするものである。
【課題を解決するための手段】
【００１０】
上記目的を達成するために、本発明によるゴルフクラブヘッドとその複合板の構造は、下記のようになるものである。すなわち、
ヘッド本体、少なくとも一個のキャビティおよび少なくとも一個の複合板により構成される。ヘッド本体は金属材質により製成され、ヘッド本体にはフェース板が設けられる。少なくとも一個のキャビティはヘッド本体の適当な位置に形成される。少なくとも一個の金属基材と少なくとも一個の非金属基材から共同で前プレスにより少なくとも一個の複合板が製成され、複合板をヘッド本体のキャビティに対応するように結合することにより、ヘッドの完成品の外殻を形成することができる。
【００１１】
本発明によるゴルフクラブヘッドとその複合板の構造は、複合板の最外表面は第一非金属基材を被覆するように形成されることもできる。また、複合板の最外表面は金属基材を被覆するように形成されることもできる。また、金属基材は密度が４．８ｇ／cm3より小さい軽質金属、合金で、例えばマグネシウム、アルミ、チタンおよびその合金から選ぶこともできる。また、複合板には順序よく第一非金属基材、金属基材、第二非金属基材と第三非金属基材が含まれることもできる。また、第一非金属基材は炭素繊維材質のＵＤ単一方向布、平織り布、斜紋布からなり、第二非金属基材はエポキシ樹脂ビスコース、蒸発型ビスコース、感圧型ビスコース、感熱型ビスコース、反応型ビスコースからなり、第三非金属基材は単層の炭素繊維含浸織物からなることもできる。また、複合板には順序よく金属基材、第二非金属基材と第三非金属基材が含まれることもできる。また、第二非金属基材はエポキシ樹脂ビスコース、蒸発型ビスコース、感圧型ビスコース、感熱型ビスコース、反応型ビスコースからなり、第三非金属基材は単層の炭素繊維含浸織物からなることもできる。また、複合板には順序よく複合基材、金属基材、第二非金属基材と第三非金属基材が含まれることもできる。また、上記複合基材は金属糸と非金属繊維が混合して編まれた網状材で、上記金属糸と非金属繊維は炭素繊維、ケブラー繊維、チタン金属糸から選ぶことができ、第二非金属基材はエポキシ樹脂ビスコース、蒸発型ビスコース、感圧型ビスコース、感熱型ビスコース、反応型ビスコースからなり、第三非金属基材は単層の炭素繊維含浸織物からなることもできる。また、キャビティはヘッド本体のクラウン板、ソール板、サイド板の適当な位置に形成されることもできる。また、ヘッド本体のキャビティの内周縁と複合板の外周縁と対応した間には緩衝空間が形成され、上記緩衝空間に充填材を充填することもできる。
【００１２】
また、本発明によるゴルフクラブヘッドの複合板は、少なくとも一個の金属基材および少なくとも一個の非金属基材により構成される。金属基材と非金属基材から共同で前プレスにより複合板が形成され、複合板をヘッド本体に結合することにより、ヘッド本体の外殻を形成することができることもできる。
【００１３】
さらに、本発明によるゴルフクラブヘッドの複合板は、複合板の最外表面は第一非金属基材を被覆するように形成されることもできる。また、複合板の最外表面は金属基材を被覆するように形成されることもできる。また、金属基材は密度が４．８ｇ／cm3より小さい軽質金属、合金で、例えばマグネシウム、アルミ、チタンおよびその合金から選ぶこともできる。また、複合板には順序よく第一非金属基材、金属基材、第二非金属基材と第三非金属基材が含まれることもできる。また、第一非金属基材は炭素繊維材質のＵＤ単一方向布、平織り布、斜紋布からなり、第二非金属基材はエポキシ樹脂ビスコース、蒸発型ビスコース、感圧型ビスコース、感熱型ビスコース、反応型ビスコースからなり、第三非金属基材は単層の炭素繊維含浸織物からなることもできる。また、複合板には順序よく金属基材、第二非金属基材と第三非金属基材が含まれることもできる。また、第二非金属基材はエポキシ樹脂ビスコース、蒸発型ビスコース、感圧型ビスコース、感熱型ビスコース、反応型ビスコースからなり、第三非金属基材は単層の炭素繊維含浸織物からなることもできる。また、複合板には順序よく複合基材、金属基材、第二非金属基材と第三非金属基材が含まれることもできる。また、上記複合基材は金属糸と非金属繊維が混合して編まれた網状材で、上記金属糸と非金属繊維は炭素繊維、ケブラー繊維、チタン金属糸から選ぶことができ、第二非金属基材はエポキシ樹脂ビスコース、蒸発型ビスコース、感圧型ビスコース、感熱型ビスコース、反応型ビスコースからなり、第三非金属基材は単層の炭素繊維含浸織物からなることもできる。
【発明の効果】
【００１４】
本発明のゴルフクラブヘッドとその複合板の構造によれば、少なくとも一個の金属基材と少なくとも一個の非金属基材を利用して共同で前プレスにより複合板を製成することにより、ヘッドの一部分の外殻を形成することができるため、重心と打球音の調整の自由度を調整することができるという利点がある。
【００１５】
本発明のゴルフクラブヘッドとその複合板の構造によれば、少なくとも一個の金属基材と少なくとも一個の非金属基材を利用して共同で前プレスにより複合板を製成し、複合板の表面において各種の金属糸と非金属繊維を混合して編むことにより、多様な色彩と模様を形成することができるため、付加価値を高めることができるという利点がある。
【００１６】
本発明のゴルフクラブヘッドとその複合板の構造によれば、少なくとも一個の金属基材と少なくとも一個の非金属基材を利用して共同で前プレスにより複合板を製成し、複合板によりヘッドの一部分の外殻を形成することができ、さらに比較的よい変形の能力を有することにより、ヘッドのフェース板の弾性変形能力を増やすことができるため、打球の性能を高めることができるという利点がある。
【発明を実施するための最良の形態】
【００１７】
本発明の実施の形態について、以下、図面を参照して説明する。
【００１８】
図１は本発明の実施例１のゴルフクラブヘッドとその複合板の構造による分解斜視図で、図２は本発明の実施例１のゴルフクラブヘッドとその複合板の構造の金属基材のプレス型による説明図で、図３は本発明の実施例１の複合板のプレス型による分解説明図で、図４は本発明の実施例１のゴルフクラブヘッドとその複合板の構造による組み立てられた状態の断面図で、図５は本発明の実施例１のゴルフクラブヘッドとその複合板の構造による組み立てられた状態の平面図で、図６は本発明の実施例２のゴルフクラブヘッドとその複合板の構造による組み立てられた状態の断面図で、図７は本発明の実施例２のゴルフクラブヘッドとその複合板の構造による組み立てられた状態の平面図で、図８は本発明の実施例３の複合板の模様による局部の拡大図で、図９は本発明の実施例４の複合板の模様による局部の拡大図で、図１０は本発明の実施例５の複合板の模様による局部の拡大図で、図１１は本発明の実施例６の複合板の模様による局部の拡大図で、図１２は本発明の実施例７の複合板が前プレス成形を行う前における分解説明図である。
【００１９】
本発明のゴルフクラブヘッドとその複合板の構造の一部分の構造は図１３に示す従来のゴルフクラブヘッドとその蓋板の構造とは同じであるため、両者の同じ部分の構造は同じ符号を採用して標示するため、その構造および功能については再び詳細に説明しない。
【実施例１】
【００２０】
図１、２、３を参照すると、本発明の実施例１のゴルフクラブヘッドとその複合板の構造にはヘッド本体１０および少なくとも一個の複合板２０が含まれる。ヘッド本体１０は金属により製成され、ヘッド本体１０にはフェース板１１と少なくとも一個のキャビティ１２が設けられ、キャビティ１２はヘッド本体１０のフェース板１１を除いたその他の適当な位置に形成され、例えばクラウン板、ソール板またはサイド板の位置に形成されることができる。キャビティ１２には開口部１２１が形成され、そしてキャビティ１２の内周縁から階段部１２２が突出するように設けられる。複合板２０は各キャビティ１２の位置に対応するように緊密に結合するのに用いられ、それによりゴルフクラブヘッドの一部分の外殻が形成される。複合板２０は好ましくは少なくとも一個の金属基材２１と少なくとも一個の非金属基材２２、２３、２４から共同で積み重ねて前プレスにより成形され、金属基材２１と非金属基材２２、２３、２４については、下記で詳しく説明する。
【００２１】
再び図２、３を参照すると、複合板２０は少なくとも一個の金属基材２１と複数個の非金属基材２２、２３、２４から共同で前プレスにより成形される。金属基材２１は好ましくは密度が４．８ｇ／cm3より小さい軽質金属または合金で、例えばマグネシウム、アルミ、チタンおよびその合金から選ぶことができる。複合板２０を製成する前に、先ず金属基材２１を適当なサイズに切断し、それから第一プレス型３０の凹部３１と凸部３２を利用してプレスを行うことにより、金属基材２１は前プレスによりキャビティ１２に対応した３Ｄの立体形状に形成される。金属基材２１は好ましくは下記の物理機械性質の範囲に符合しており、密度が４．８ｇ／cm3より小さく、弾性強度（tensile strength）が３０ksiから２００ksiの間に介在し、弾性係数（tensile modulus）が３５００kg／mm2から１２０００kg／mm2の間に介在し、延長率（elongation）が５％から２０％の間に介在し、ＨＶ硬度（hardness ＨＶ）が４５から４５０の間に介在し、さらに肉厚が０．３mmから１．５mmに介在する。金属基材２１の上記物理機械性質の条件を制限することにより、後続の製造工程におけるヘッド完成品の重心位置と軽快な打球音の発生を調整することができる。
【００２２】
再び図３を参照すると、本発明の実施例１の非金属基材は第一非金属基材２２、第二非金属基材２３と第三非金属基材２４により構成される。第一非金属基材２２は複合板２０の最外側を被覆し、第二非金属基材２３と第三非金属基材２４は金属基材２１の下方に積み重ねられる。第一非金属基材２２は好ましくは炭素繊維（graphite）材質のＵＤ単一方向（uni-direction）布、平織り布、斜紋布からなり、通常として上記のような炭素繊維布は１から５層の炭素繊維（graphite）含浸織物を０°、９０°または±４５°の配置角度を利用して適当な高温で交錯に積み重ねて粘着してなるものである。これにより、第一非金属基材２２の表面には織り交ぜられた炭素繊維２２１からなる模様、図案が形成される。第二非金属基材２３は好ましくはエポキシ樹脂ビスコースからなることができるが、蒸発型（solvent-release type）、感圧型（pressure-sensitive type）、感熱型（heat-sensitive type）または反応型（chemically-reactive type）のビスコースからなることもできる。第三非金属基材２４は好ましくは単層の炭素繊維含浸織物からなることができる。第一非金属基材２２、金属基材２１、第二非金属基材２３と第三非金属基材２４を順序よく積み重ねた後、第二プレス型４０の凹部４１と凸部４２を利用してプレスを行うことにより、上記基材２１から２４を粘着して積み重ねて複合板２０を製成することができる。また、複合板２０の密度は１．７ｇ／cm3から４．８ｇ／cm3の間に介在するように制御する方が好適である。
【００２３】
図４、５を参照すると、エポキシ樹脂などの粘着剤の補助を利用して複合板２０をヘッド本体１０のキャビティ１２の上に強固かつ緊密に粘着して結合することができるため、ヘッドの完成品が組み立てられて製成される。複合板２０は密度の低い非金属基材２２、２３、２４により製成されるため、ヘッド完成品の全体の重心位置を低くすることができると共に、ゴルフクラブの慣性モーメントをさらに増やすことができる。また、複合板２０には金属基材２１が含まれることにより、ヘッドの完成品が打球時において軽快な打球音（図１３に示す従来の蓋板２０’と比較する）を発することができるため、ヘッドの完成品の付加価値を増やすことができる。さらに、複合板２０は金属基材２１により比較的高い弾性による変形能力を有するように形成されることにより、ヘッド本体１０のフェース板１１の弾性による変形能力をある程度高めることができるため、ヘッドの完成品の打球飛距離（打球性能）をさらに増やすことができる。
【００２４】
また、製品の需要性に応じて本発明においては例えば金属基材２１と非金属基材２２、２３、２４の材料、肉厚、層数、積み重ねの順序を利用してヘッドの完成品の重心位置、打球音の周波数または弾性係数を調整することにより、重心調整の自由度、打球音調整の自由度と打球の性能を増やすことができる。さらに、複合板２０の最外層の第一非金属基材２２の炭素繊維の編み方を調整して変えることにより、複合板２０の外表面に各種の模様を形成することができるため、ヘッドの完成品を美化して装飾することができる。
【実施例２】
【００２５】
図６、７を参照すると、本発明の実施例２のゴルフクラブヘッドとその複合板の構造が掲示される。実施例１と比較し、実施例２においてはヘッド本体１０のキャビティ１２の内周縁と複合板２０の外周縁と対応した間には緩衝空間が形成され、上記緩衝空間に充填材５０を充填することができ、充填材５０は好ましくは弾性を有したペイント充填材からなり、特に熱可塑性弾性体（thermoplastic elastomer）の材質により製成されたペイント充填材で、例えばＰＵペイント充填材（ＰＵ; paint filler）である。これにより、複合板２０とキャビティ１２の間には弾性による変形と熱脹冷縮の緩衝空間が形成され、さらに皺や折り目が生じるのを減らすことができるため、ヘッドの構造の強度と完成品の歩留りを確保することができる。また、充填材５０の種類を選択することにより、または各種の充填材５０を複合して使用することにより、ヘッドの完成品の外観に各種の環形の図案を形成させることができるため、ヘッドの完成品の付加価値を増やすことができる。
【実施例３】
【００２６】
図８を参照すると、本発明の実施例３のゴルフクラブヘッドとその複合板の構造が掲示される。実施例１と比較し、実施例３においては複合板２０は第一非金属基材２２を金属糸および非金属繊維の複合基材と置き換え、例えば第一複合基材２２ａ、第二複合基材２２ｂ、第三複合基材２２ｃまたは第四複合基材２２ｄである。これにより、複合板２０の外表面の編み方と模様をさらに変えることにより、ヘッドの完成品を美化して装飾することができる。
【００２７】
再び図８を参照すると、本発明の実施例３の第一複合基材２２ａは炭素繊維２２１とケブラー（商標）繊維２２２を適当な排列方式により交錯に混合して編まれた網状材で、ケブラー繊維２２２はデュポン社が開発したKevlar（商標）のパラ系全芳香族ポリアミド繊維〔PPTA、poly(p-phenylene terephthalamide)〕である。
【実施例４】
【００２８】
図９を参照すると、本発明の実施例４のゴルフクラブヘッドとその複合板の構造が掲示される。実施例３と同様に、本発明の実施例４においては、実施例１と比較し、複合板２０は第一非金属基材２２を金属糸および非金属繊維の複合基材と置き換え、例えば第一複合基材２２ａ、第二複合基材２２ｂ、第三複合基材２２ｃまたは第四複合基材２２ｄである。これにより、複合板２０の外表面の編み方と模様をさらに変えることにより、ヘッドの完成品を美化して装飾することができる。本発明の実施例４の第二複合基材２２ｂは炭素繊維２２１とチタン金属糸２２３を適当な排列方式により交錯に混合して編まれた網状材である。
【実施例５】
【００２９】
図１０を参照すると、本発明の実施例５のゴルフクラブヘッドとその複合板の構造が掲示される。実施例３と同様に、本発明の実施例５においては、実施例１と比較し、複合板２０は第一非金属基材２２を金属糸および非金属繊維の複合基材と置き換え、例えば第一複合基材２２ａ、第二複合基材２２ｂ、第三複合基材２２ｃまたは第四複合基材２２ｄである。これにより、複合板２０の外表面の編み方と模様をさらに変えることにより、ヘッドの完成品を美化して装飾することができる。本発明の実施例５の第三複合基材２２ｃはケブラー繊維２２２とチタン金属糸２２３を適当な排列方式により交錯に混合して編まれた網状材である。
【実施例６】
【００３０】
図１１を参照すると、本発明の実施例６のゴルフクラブヘッドとその複合板の構造が掲示される。実施例３と同様に、本発明の実施例５においては、実施例１と比較し、複合板２０は第一非金属基材２２を金属糸および非金属繊維の複合基材と置き換え、例えば第一複合基材２２ａ、第二複合基材２２ｂ、第三複合基材２２ｃまたは第四複合基材２２ｄである。これにより、複合板２０の外表面の編み方と模様をさらに変えることにより、ヘッドの完成品を美化して装飾することができる。本発明の実施例６の第四複合基材２２ｄは炭素繊維２２１、ケブラー繊維２２２とチタン金属糸２２３を適当な排列方式により交錯に混合して編まれた網状材である。
【００３１】
上述した実施例３、４、５、６で用いられる炭素繊維２２１、ケブラー繊維２２２とチタン金属糸２２３はそれぞれ表１に示す物理機械性質を有している。
【００３２】
【表１】
2005137819.tif 000003
【００３３】
表１を参照すると、炭素繊維２２１は黒色で、ケブラー繊維２２２は金色で、さらにチタン金属糸２２３は銀色に形成されるため、単独に炭素繊維２２１、ケブラー繊維２２２またはチタン金属糸２２３を使用することにより、或いは混合して編まれた第一複合基材２２ａ、第二複合基材２２ｂ、第三複合基材２２ｃまたは第四複合基材２２ｄにより、本発明において複合板２０の外表面には黒色、金色および銀色による色彩と模様の変化を有しているため、ヘッドの完成品を美化して装飾することができ、さらにヘッドの完成品の付加価値を増やすことができる。
【実施例７】
【００３４】
図１２を参照すると、本発明の実施例７のゴルフクラブヘッドとその複合板の構造が掲示される。実施例１と比較し、実施例７において複合板２０は金属基材２１、第二非金属基材２３と第三非金属基材２４により製成される。金属基材２１は同様にマグネシウム、アルミ、チタンなどの軽質金属または合金から選ぶことができ、第二非金属基材２３は好ましくはエポキシ樹脂ビスコースからなることができ、さらに第三非金属基材２４は好ましくは単層の炭素繊維含浸織物からなることができる。これにより、第二非金属基材２３は最外側に位置されるため、複合板２０には金属の外観を有すると共に、複合板２０によりヘッドの完成品の重心調整の自由度、打球音調整の自由度と弾性係数を増やすことができるため、金属外観、低重心、軽快な打球音と打球の性能を有したヘッドの完成品の製造に適用する。
【産業上の利用可能性】
【００３５】
上述の如く、図１３に示すような従来のゴルフクラブヘッドとその蓋板の構造では低重心と軽快な打球音を兼ねることができず、さらに外表面の装飾効果が比較的低いなどの問題点があったが、本発明では、金属基材２１、非金属基材２２、２３、２４（および複合基材２２ａから２２ｄ）を利用して前プレスにより製成された複合板２０を用いることにより、ヘッドの完成品の重心調整の自由度、打球音調整の自由度、付加価値および打球の性能を増やすことができる。
【００３６】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００３７】
【図１】本発明の実施例１のゴルフクラブヘッドとその複合板の構造による分解斜視図である。
【図２】本発明の実施例１のゴルフクラブヘッドとその複合板の構造の金属基材のプレス型による説明図である。
【図３】本発明の実施例１の複合板のプレス型による分解説明図である。
【図４】本発明の実施例１のゴルフクラブヘッドとその複合板の構造による組み立てられた状態の断面図である。
【図５】本発明の実施例１のゴルフクラブヘッドとその複合板の構造による組み立てられた状態の平面図である。
【図６】本発明の実施例２のゴルフクラブヘッドとその複合板の構造による組み立てられた状態の断面図である。
【図７】本発明の実施例２のゴルフクラブヘッドとその複合板の構造による組み立てられた状態の平面図である。
【図８】本発明の実施例３の複合板の模様による局部の拡大図である。
【図９】本発明の実施例４の複合板の模様による局部の拡大図である。
【図１０】本発明の実施例５の複合板の模様による局部の拡大図である。
【図１１】本発明の実施例６の複合板の模様による局部の拡大図である。
【図１２】本発明の実施例７の複合板が前プレス成形を行う前における分解説明図である。
【図１３】従来のゴルフクラブヘッドとその蓋板の構造による分解斜視図である。
【符号の説明】
【００３８】
１０    ヘッド本体                      １１    フェース板
１２    キャビティ                    １２１    開口部
１２２    階段部                          ２０    複合板
２０’    蓋板                          ２１    金属基材
２２    第一非金属基材                  ２２ａ    第一複合基材
２２ｂ    第二複合基材                ２２１    炭素繊維
２２２    ケブラー繊維                  ２２３    チタン金属糸
２３    第二非金属基材                  ２４    第三非金属基材
３０    第一プレス型                    ３１    凹部
３２    凸部                            ４０    第二プレス型
４１    凹部                            ４２    凸部
５０    充填材
【図１】
2005137819.tif 000004
【図２】
2005137819.tif 000005
【図３】
2005137819.tif 000006
【図４】
2005137819.tif 000007
【図５】
2005137819.tif 000008
【図６】
2005137819.tif 000009
【図７】
2005137819.tif 000010
【図８】
2005137819.tif 000011
【図９】
2005137819.tif 000012
【図１０】
2005137819.tif 000013
【図１１】
2005137819.tif 000014
【図１２】
2005137819.tif 000015
【図１３】
2005137819.tif 000016